(57)【要約】【課題】ＬＴＥ−Ａｄｖａｎｃｅｄ方式の試験用信号生成に必要なパラメータ設定処理を簡単に行なえるようにする。【解決手段】バンドコンポーネント指定手段２５は、ＬＴＥ−Ａｄｖａｎｃｅｄ方式で用いられる複数のコンポーネントキャリアのキャリア配置としてイントラバンド方式またはインターバンド方式の種別、コンポーネントキャリアを配置する通信用割当周波数帯の種別、複数のコンポーネントキャリアのリストを含む第１の設定画面を表示部２１に表示し、タッチパネル式の操作部２２の操作でそれらを指定させる。パラメータファイル指定手段２６は、コンポーネントキャリアのいずれかが指定されたとき、そのコンポーネントキャリアに対して割当て可能なパラメータファイルの種別を含む第２の設定画面を表示し、操作部２２の操作で、所望のパラメータファイルの種別を指定させる。【選択図】図１
2014165655.tif 000002
【特許請求の範囲】
【請求項１】
表示部（２１）と、
操作部（２２）と、
ＬＴＥ−Ａｄｖａｎｃｅｄ方式に対応した基地局、携帯端末あるいはそれらに用いられるＲＦデバイスを試験対象とし、該試験対象の動作を試験するために用いる複数のコンポーネントキャリアに対してそれぞれ割当可能な試験用信号生成用のパラメータファイルを予め記憶するパラメータファイル記憶手段（２４）と、
前記表示部に、前記複数のコンポーネントキャリアのキャリア配置としてイントラバンド方式またはインターバンド方式の種別、コンポーネントキャリアを配置する通信用割当周波数帯の種別、前記複数のコンポーネントキャリアのリストを含む第１の設定画面を表示し、前記操作部の操作で、前記イントラバンド方式またはインターバンド方式の種別、コンポーネントキャリアを配置する通信用割当周波数帯の種別および該通信用割当周波数帯に配置されるコンポーネントキャリアを指定させるバンドコンポーネント指定手段（２５）と、
前記バンドコンポーネント指定手段で、複数のコンポーネントキャリアのいずれかが指定されたとき、該コンポーネントキャリアに対して割当て可能な前記パラメータファイルの種別を含む第２の設定画面を表示し、前記操作部の操作で、前記バンドコンポーネント指定手段で指定されたコンポーネントキャリアに割り当てるパラメータファイルの種別を指定させるパラメータファイル指定手段（２６）と、
前記バンドコンポーネント指定手段および前記パラメータファイル指定手段によって指定された情報にしたがって、前記指定された通信用割当周波数帯のコンポーネントキャリア毎の試験用信号を生成する試験用信号生成部（２９）とを備えたことを特徴とするＬＴＥ−Ａｄｖａｎｃｅｄ方式の試験用信号生成装置。
【請求項２】
前記操作部が、前記表示部の画面上に重ねられた透光性を有するタッチパネル式に構成されており、バンドコンポーネント指定手段が前記表示部に表示する前記第１の設定画面および前記パラメータファイル指定手段が前記表示部に表示する前記第２の設定画面は、前記タッチパネル式の操作部の表面へのタッチ操作で各項目の指定ができるように構成されていることを特徴とする請求項１記載のＬＴＥ−Ａｄｖａｎｃｅｄ方式の試験用信号生成装置。
【請求項３】
ＬＴＥ−Ａｄｖａｎｃｅｄ方式に対応した基地局、携帯端末あるいはそれらに用いられるＲＦデバイスを試験対象とし、該試験対象の動作を試験するために用いる複数のコンポーネントキャリアに対してそれぞれ割当可能な試験用信号生成用のパラメータファイルを予め記憶する段階と、
前記複数のコンポーネントキャリアのキャリア配置としてイントラバンド方式、インターバンド方式の種別、コンポーネントキャリアを配置する通信用割当周波数帯の種別、前記複数のコンポーネントキャリアのリストを含む第１の設定画面を表示し、前記イントラバンド方式またはインターバンド方式の種別、コンポーネントキャリアを配置する通信用割当周波数帯の種別および該通信用割当周波数帯に配置されるコンポーネントキャリアを指定操作させる段階と、
前記第１の設定画面で複数のコンポーネントキャリアのいずれかが指定されたとき、該コンポーネントキャリアに対して割当て可能な前記パラメータファイルの種別を含む第２の設定画面を表示し、前記指定されたコンポーネントキャリアに割り当てるパラメータファイルの種別を指定操作させる段階と、
前記第１の設定画面および前記第２の設定画面で指定された情報にしたがって、前記指定された通信用割当周波数帯のコンポーネントキャリア毎の試験用信号を生成する段階と含むことを特徴するＬＴＥ−Ａｄｖａｎｃｅｄ方式の試験用信号生成方法。
【発明の詳細な説明】
【技術分野】
【０００１】
本発明は、携帯電話、スマートフォン等の携帯端末、基地局あるいはそれらに用いられるＲＦデバイス等を試験対象とし、それら試験対象の動作試験を行うための試験信号を発生するための技術に関し、特にＬＴＥよりさらに高速化されたＬＴＥ−Ａｄｖａｎｃｅｄ方式と呼ばれる無線通信規格に対応した試験信号を簡易に生成できるようにするための技術に関する。
【背景技術】
【０００２】
携帯端末の多機能化に伴い、基地局との間の無線による通信速度が高速化されており、近年では、３ＧＰＰ  ＬＴＥ規格においてＬＴＥ  Ｒｅｌｅａｓｅ（以下Ｒｅｌ）８（下り３００Ｍｂｐｓ、上り７５Ｍｂｐｓ）よりさらに高速なＬＴＥ  Ｒｅｌ１０（下り１Ｇｂｐｓ、上り５００Ｍｂｐｓ）の所謂ＬＴＥ−Ａｄｖａｎｃｅｄ方式が実用化されつつある。
【０００３】
このＬＴＥ−Ａｄｖａｎｃｅｄ方式の規格では、従来のＬＴＥ  Ｒｅｌ８で用いていたキャリアを１つのコンポーネントキャリア（以下、ＣＣと記す）単位として扱い、これを最大５つまで同時に用いて一つの携帯端末との間で通信を行う「Carrier Aggregation」（以下、ＣＡと記す）技術を用いて通信帯域幅を拡張して上記高速化を実現している。
【０００４】
一方、従来のＬＴＥ方式の携帯端末試験のためのシステムでは、携帯端末との間の通信で用いる１キャリア分の試験用信号（Ｉ、Ｑの直交成分）をベースバンドで生成し、この試験用信号で直交変調され、且つ通信周波数帯に周波数変換された信号を用いている。
【０００５】
この試験用信号の生成には、極めて多くのパラメータが必要となるが、それを試験者が一つ一つ設定していたのでは非効率である。
【０００６】
このため、例えば基地局試験用の規格である３ＧＰＰ  ＴＳ３６．１４１（ＢＳ試験用規格）においては、予めどのような条件でテストを行なうかを特定する複数種類のテストモデルと、それら各テストモデルについての試験用信号を生成するために必要なキャリアのチャネル帯域との組合せが規定されており、それらのパラメータ情報（パラメータファイル）を予め記憶部に記憶させておき、試験者がテストモデルと、チャネル帯域とを選択操作することでその選択されたテストモデルを指定したチャンネル帯域幅で行なうための試験用信号の波形データを生成している。
【０００７】
なお、このような試験システムの一例として携帯端末の試験を行うための試験用信号を生成し、この試験用信号で直交変調した信号を通信周波数帯に変換して出力するシステムが、例えば特許文献１に開示されている。
【先行技術文献】
【特許文献】
【０００８】
【特許文献１】特開２００７−１１６２４０号公報
【発明の概要】
【発明が解決しようとする課題】
【０００９】
ところが、上記したＬＴＥ−Ａｄｖａｎｃｅｄ方式で用いるＣＡ技術では、通信に用いるキャリアを一つのコンポーネントとし、複数のＣＣを用い、しかもＣＣが一つの通信用割当周波数帯の中に連続にまたは不連続に配置されるイントラバンド方式と、複数のＣＣが異なる通信用割当周波数帯に振り分け配置されるインターバンド方式とがあり、それらに対応するためには、各通信用割当周波数帯やＣＣ毎に上記したテストモデルや帯域幅等の指定操作が必要となり、その作業が極めて煩雑で面倒であった。
【００１０】
本発明は、この問題を解決して、ＬＴＥ−Ａｄｖａｎｃｅｄ方式の試験用信号生成に必要なパラメータ設定処理を簡単に行なえるＬＴＥ−Ａｄｖａｎｃｅｄ方式の試験用信号生成装置および生成方法を提供することを目的としている。
【課題を解決するための手段】
【００１１】
前記目的を達成するために、本発明の請求項１のＬＴＥ−Ａｄｖａｎｃｅｄ方式の試験用信号生成装置は、
表示部（２１）と、
操作部（２２）と、
ＬＴＥ−Ａｄｖａｎｃｅｄ方式に対応した基地局、携帯端末あるいはそれらに用いられるＲＦデバイスを試験対象とし、該試験対象の動作を試験するために用いる複数のコンポーネントキャリアに対してそれぞれ割当可能な試験用信号生成用のパラメータファイルを予め記憶するパラメータファイル記憶手段（２４）と、
前記表示部に、前記複数のコンポーネントキャリアのキャリア配置としてイントラバンド方式またはインターバンド方式の種別、コンポーネントキャリアを配置する通信用割当周波数帯の種別、前記複数のコンポーネントキャリアのリストを含む第１の設定画面を表示し、前記操作部の操作で、前記イントラバンド方式またはインターバンド方式の種別、コンポーネントキャリアを配置する通信用割当周波数帯の種別および該通信用割当周波数帯に配置されるコンポーネントキャリアを指定させるバンドコンポーネント指定手段（２５）と、
前記バンドコンポーネント指定手段で、複数のコンポーネントキャリアのいずれかが指定されたとき、該コンポーネントキャリアに対して割当て可能な前記パラメータファイルの種別を含む第２の設定画面を表示し、前記操作部の操作で、前記バンドコンポーネント指定手段で指定されたコンポーネントキャリアに割り当てるパラメータファイルの種別を指定させるパラメータファイル指定手段（２６）と、
前記バンドコンポーネント指定手段および前記パラメータファイル指定手段によって指定された情報にしたがって、前記指定された通信用割当周波数帯のコンポーネントキャリア毎の試験用信号を生成する試験用信号生成部（２９）とを備えている。
【００１２】
また、本発明の請求項２のＬＴＥ−Ａｄｖａｎｃｅｄ方式の試験用信号生成装置は、請求項１記載のＬＴＥ−Ａｄｖａｎｃｅｄ方式の試験用信号生成装置において、
前記操作部が、前記表示部の画面上に重ねられた透光性を有するタッチパネル式に構成されており、バンドコンポーネント指定手段が前記表示部に表示する前記第１の設定画面および前記パラメータファイル指定手段が前記表示部に表示する前記第２の設定画面は、前記タッチパネル式の操作部の表面へのタッチ操作で各項目の指定ができるように構成されている。
【００１３】
また、本発明の請求項３のＬＴＥ−Ａｄｖａｎｃｅｄ方式の試験用信号生成方法は、
ＬＴＥ−Ａｄｖａｎｃｅｄ方式に対応した基地局、携帯端末あるいはそれらに用いられるＲＦデバイスを試験対象とし、該試験対象の動作を試験するために用いる複数のコンポーネントキャリアに対してそれぞれ割当可能な試験用信号生成用のパラメータファイルを予め記憶する段階と、
前記複数のコンポーネントキャリアのキャリア配置としてイントラバンド方式、インターバンド方式の種別、コンポーネントキャリアを配置する通信用割当周波数帯の種別、前記複数のコンポーネントキャリアのリストを含む第１の設定画面を表示し、前記イントラバンド方式またはインターバンド方式の種別、コンポーネントキャリアを配置する通信用割当周波数帯の種別および該通信用割当周波数帯に配置されるコンポーネントキャリアを指定操作させる段階と、
前記第１の設定画面で複数のコンポーネントキャリアのいずれかが指定されたとき、該コンポーネントキャリアに対して割当て可能な前記パラメータファイルの種別を含む第２の設定画面を表示し、前記指定されたコンポーネントキャリアに割り当てるパラメータファイルの種別を指定操作させる段階と、
前記第１の設定画面および前記第２の設定画面で指定された情報にしたがって、前記指定された通信用割当周波数帯のコンポーネントキャリア毎の試験用信号を生成する段階と含んでいる。
【発明の効果】
【００１４】
このようにしたので、本発明によれば、第１の設定画面上で、イントラバンド方式またはインターバンド方式の種別、コンポーネントキャリアを配置する通信用割当周波数帯の種別およびその通信用割当周波数帯に配置されるコンポーネントキャリアを指定操作させると、そのコンポーネントキャリアに割当て可能なパラメータファイルを指定するための第２の設定画面が表示されて簡単にパラメータファイルを指定操作できるので、ＬＴＥ−Ａｄｖａｎｃｅｄ方式に対応した試験対象の試験に用いる試験用信号を極めて容易に生成することができる。
【図面の簡単な説明】
【００１５】
【図１】本発明の実施形態を含む試験システム図
【図２】規格化されたテストモデルに用いるパラメータのリスト
【図３】ＦＤＤ方式の場合のフレーム生成用のパラメータのリスト
【図４】ＴＤＤ方式の場合の第１フレーム生成用のパラメータのリスト
【図５】ＴＤＤ方式の場合の第２フレーム生成用のパラメータのリスト
【図６】複数のコンポーネントキャリアの配置例を示す図
【図７】第１の設定画面の一例を示す図
【図８】試験用の周波数帯番号に対する送受信周波数範囲および送受信切替方式の対応図
【図９】第２の設定画面の一例を示す図
【発明を実施するための形態】
【００１６】
以下、図面に基づいて本発明の実施の形態を説明する。
図１は、本発明を適用したＬＴＥ−Ａｄｖａｎｃｅｄ方式の試験用信号生成装置２０とそれを用いた試験システムの構成を示している。
【００１７】
この試験信号生成装置２０は、表示部２１、操作部２２、パラメータ設定部２３、試験用信号生成部２９を有し、生成したベースバンドの試験用信号を、ＲＦ信号変換装置３０に与え、実際に通信に用いる周波数帯の信号に変換して試験対象に送信する。なお、ここでは、試験対象１が基地局の場合で説明する。
【００１８】
ここで、操作部２２は、表示部２１の画面上に重ねられた透光性を有するタッチパネル式に構成されており、後述のバンドコンポーネント指定手段２５が表示部２１に表示する第１の設定画面およびパラメータファイル指定手段２６が表示部２１に表示する第２の設定画面は、タッチパネル式の操作部２２の表面へのタッチ操作で各項目の指定ができるように構成されている。
【００１９】
試験信号生成装置２０のパラメータ設定部２３は、ＬＴＥ−Ａｄｖａｎｃｅｄ方式で通信を行なう試験対象１の動作試験に用いる試験用信号を生成するためのパラメータ情報を設定するためのものであり、パラメータファイル記憶手段２４、バンドコンポーネント指定手段２５、パラメータファイル指定手段２６を有している。
【００２０】
パラメータファイル記憶手段２４には、ＬＴＥ−Ａｄｖａｎｃｅｄ方式の通信で用いる複数のコンポーネントキャリアに対してそれぞれ割当可能な試験用信号生成用のパラメータファイルが予め記憶されている。
【００２１】
ここで、パラメータファイルは、前記したように、予めどのような条件でテストを行なうかを特定する複数種類のテストモデルと、それら各テストモデルについての試験用信号を生成するために必要なＣＣのチャネル帯域との組合せで特定されるものであり、例えば、Ｅ−ＴＭ１．１、Ｅ−ＴＭ１．２、Ｅ−ＴＭ２、Ｅ−ＴＭ３．１、Ｅ−ＴＭ３．２、Ｅ−ＴＭ３．３の６種類のテストモデルが規定されている。
【００２２】
これらテストモデルは、ＢＳ（基地局）試験用測定規格「３ＧＰＰ  ＴＳ３６．１４  Ｔｒａｎｓｍｉｔｔｅｒ  Ｃａｒａｃｔｅｒｉｓｔｉｃｓ」に記載されている信号生成用のパラメータを特定するものである。
【００２３】
具体例として、以下にＥ−ＴＭ１．２（E-UTRA Test Model 1.2）について説明する。
Ｅ−ＴＭ１．２信号は送信試験の不要発射（隣接チャネル漏洩電力、運用周波数帯不要発射）の測定に用いられ、その信号生成のためのパラメータの詳細は、図２〜図５のＴａｂｌｅ１〜３に記載されている値となる。
【００２４】
先ず、図２のＴａｂｌｅ１について説明すると、１．４ＭＨｚから２０ＭＨｚまでの６つの帯域毎にダウンリンク物理チャネルの設定値（パワー含む）が記載されている。
【００２５】
このうち、リファレンスシグナル（Reference Signals）は、同期検波や無線リンク制御、セルサーチなどに用いられる信号であり、同期シグナル（Synchronization
Signals）は、ユーザ端末が基地局を検出するセルサーチに用いられる信号である。
【００２６】
また、報知チャネル（PBCH）は、制御情報をセル全体に報知するチャネル、制御チャネル構成指示チャネル（PCFICH）は、制御チャネル（PDCCH）に用いるＯＦＤＭシンボル数を示す。ハイブリッドARQ指示チャネル（PHICH）は、上りデータチャネル（PUSCH）に対するＡＣＫ／ＮＡＣＫ情報を伝送するチャネルである。
【００２７】
下りリンク制御チャネル（PDCCH）は、下りデータチャネル（PDSCH）、上りデータチャネル（PUSCH）の情報を示し、下りデータチャネル（PDSCH）は、ユーザ・データや上位レイヤの制御情報伝送に用いられる。
【００２８】
図３のＴａｂｌｅ２には、送信と受信を異なる周波数帯で行なうＦＤＤ方式におけるパワーブーストを行なう下りデータチャネル（PDSCH）の物理リソースブロック(周波数方向の単位：１リソースブロックは１２サブキャリアから構成される)の番号が記載されている。また、図４、図５のＴａｂｌｅ３は、送信と受信を同一周波数で時分割に行なうＴＤＤ方式における２フレーム分(Frame1, Frame2)のパワーブーストを行なう下りデータチャネル（PDSCH）の物理リソースブロックの番号が記載されている。
【００２９】
なお、他のテストモデルの用途と条件は以下の通りである。
（Ｅ−ＴＭ１．１）
用途  基地局出力電力、不要輻射（占有周波数帯域幅、隣接チャネル漏洩電力、運用周波数帯不要輻射、送信機スプリアス発射）、送信機相互変調、基準信号絶対精度
条件  変調方式ＱＰＳＫ、電力変動無し
（Ｅ−ＴＭ２）
用途  トータル電力ダイナミックレンジ（最小電力における下側ＯＦＤＭシンボルの電力制限）、単一６４ＱＡＭＰＲＢ配置のエラーベクトル振幅ＥＶＭ（最小電力時）、周波数誤差（最小電力時）
条件  変調方式６４ＱＡＭ：１％  ＯＦＦ：９９％、電力変動６４ＱＡＭ：０ｄＢ  ＯＦＦ：−∞
（Ｅ−ＴＭ３．１）
用途  トータル電力ダイナミックレンジ（すべての６４ＱＡＭＰＲＢを配置したときの最大電力における上側ＯＦＤＭシンボルの電力制限）、送信信号品質（周波数誤差、６４ＱＡＭ変調のＥＶＭ）
条件  変調方式６４ＱＡＭ、電力変動無し
（Ｅ−ＴＭ３．２）
用途  送信信号品質（周波数誤差、１６ＱＡＭ変調のＥＶＭ）
条件  変調方式１６ＱＡＭ：６０％  ＱＰＳＫ：４０％、電力変動１６ＱＡＭ：−３ｄＢ  ＱＰＳＫ：＋２．４２６ｄＢ
（Ｅ−ＴＭ３．３）
用途  送信信号品質（周波数誤差、ＱＰＳＫ変調のＥＶＭ）
条件  変調方式１６ＱＡＭ：５０％  ＱＰＳＫ：５０％、電力変動ＱＰＳＫ：−６ｄＢ
１６ＱＡＭ：＋２．４２７ｄＢ
【００３０】
これらのテストモデルについても、６種類の帯域毎の信号生成用のパラメータが規定されており、それらを含め、パラメータファイル記憶手段２４には、６種類のテストモデルと１．４ＭＨｚ、３ＭＨｚ、５ＭＨｚ、１０ＭＨｚ、１５ＭＨｚ、２０ＭＨｚの６種類の帯域の組合せ分、即ち３６組のパラメータファイルＰＦ１〜ＰＦ３６が特定のファイル形式で記憶されている。
【００３１】
バンドコンポーネント指定手段２５は、第１の設定画面上で、試験に用いる複数のＣＣの配置の方式を指定するものであり、図６の（ａ）のように、一つの通信用割当周波数帯Ｂｉ内に複数（この例では３つ）のＣＣを連続的に配置するイントラバンド連続方式と、図６の（ｂ）のように、一つの通信用割当周波数帯Ｂｉ内に複数（この例では２つ）のＣＣを不連続に配置するイントラバンド不連続方式と、図６の（ｃ）のように、異なる通信用割当周波数帯Ｂｉ、Ｂｊに複数（この例では２つ）のＣＣを振り分けるインターバンド（不連続）方式とがあり、それらのいずれかを指定可能に表示し、操作部２２で指定操作させる。
【００３２】
ここで、第１の設定画面の一例を図７に示す。バンドコンポーネント指定手段２５は、図７の上段の「Carrier Aggregation Mode」の隣にイントラバンド方式またはインターバンド方式の種別を指定操作するためのボタンＢａを表示する。この例ではボタンＢａが押される（タッチされる）毎に、ボタン表示を「intra-band」と「inter-band」に交互に変化させる。
【００３３】
この配置指定の際には、使用するＣＣの実際の周波数情報を決定する必要があるが、上記Ｒｅｌ１０の規格では、試験に使用する周波数帯が定義されている。
【００３４】
図８はその一部を示しており、運用バンドに１〜４３までの通し番号が付与され、それら各番号に対してＦＤＤ方式における送受信周波数範囲とＴＤＤ方式における送受信周波数範囲（この方式では送受信周波数は等しい）が決められている。
【００３５】
試験者は、この運用バンドを基にして、例えばイントラバンド連続方式でＦＤＤ方式のＣＣを連続的に配置する場合には、後述するＲＦ信号変換装置３０から、ＦＤＤ方式に割当てられた例えば周波数範囲２１１０〜２１７０ＭＨｚ（基地局送信モード：ＢＳ  ｔｒａｎｓｍｉｔ）内に複数のＣＣを指定されたオフセット周波数間隔で出力させる。
【００３６】
また、例えばイントラバンド連続方式でＴＤＤ方式のＣＣを連続的に配置する場合には、ＲＦ信号変換装置３０から、ＴＤＤ方式に割当てられた例えば周波数範囲２３００〜２４００ＭＨｚ（基地局送信モード：ＢＳ  ｔｒａｎｓｍｉｔ）内に複数のＣＣを指定されたオフセット周波数間隔で出力させる。
【００３７】
また、例えばインターバンド方式でＦＤＤ方式のＣＣを配置する場合には、ＦＤＤ方式に割り当てられた周波数範囲の二つ、例えば２１１０〜２１７０ＭＨｚ、８６９〜８９４ＭＨｚ内にそれぞれＣＣを配置することになる。
【００３８】
なお、これら実際に配置するＣＣの中心周波数は、ＲＦ信号変換装置３０のローカル周波数設定により任意に設定することができる。
【００３９】
また、図７のボタンＢａの下段に、コンポーネントキャリアを配置する通信用割当周波数帯の種別「Ｂａｎｄ＃０」、「Ｂａｎｄ＃１」を指定するためのボタンＢｂ、Ｂｃを表示し、例えば押された一方のボタンの表示を指定されたことがわかるように濃く表示し、他方を薄く表示して、通信用割当周波数帯を指定操作させる。
【００４０】
また、ボタンＢｂ、Ｂｃの下段には、ＬＴＥ−Ａｄｖａｎｃｅｄ方式で使用可能な複数（この例では５つ）コンポーネントキャリア（ＣＣ）のリスト（番号０〜４）を含む一覧表Ｃを表示する。この一覧表Ｃの左端には、各ＣＣを指定操作するために表面に番号が示されたボタンＢｄ〜Ｂｈが表示され、その右隣には、それぞれチェックボックスが表示され、ボタンＢｄ〜Ｂｈに対する押し操作で指定されたＣＣにチェックマークを付ける。
【００４１】
この操作により、イントラバンド方式またはインターバンド方式の種別、コンポーネントキャリアを配置する通信用割当周波数帯の種別および通信用割当周波数帯に配置されるコンポーネントキャリアが指定される。
【００４２】
そして、パラメータファイル指定手段２６は、バンドコンポーネント指定手段２５で、コンポーネントキャリアのいずれかが指定されたとき、そのコンポーネントキャリアに対して割当て可能なパラメータファイルの種別を含む第２の設定画面を表示し、操作部２２の操作で、バンドコンポーネント指定手段２５で指定されたコンポーネントキャリアに割り当てるパラメータファイルの種別を指定させる。
【００４３】
第２の設定画面の一例を図９に示す。パラメータファイル指定手段２６は、図９の上段の表記「E-UTRA Test Model」の右隣にテストモデルを指定するためのボタンＢｉ、表記「Bandwidth」の右隣にチャネル帯域幅を指定するボタンＢｊ、表記「Cell
ID」の右隣にセルＩＤを指定するためのボタンＢｋを表示する。
【００４４】
また、中段の表記「Uplink-downlink Config」の右隣にその値を指定するためのボタンＢｍ、表記「Special Subframe Config」の右隣にその値を指定するためのボタンＢｎ、表記「Roll
Off Length」の右隣にその値を指定するためのボタンＢｏ、表記「Filter」の右隣にその種別（図の例ではideal：理想フィルタ）を指定するためのボタンＢｐを表示する。
【００４５】
そして、下段には、設定完了を示すＯＫボタンＢｑと設定キャンセルを示すキャンセルボタンＢｒを表示する。
【００４６】
この第２の設定画面上で、テストモード、帯域幅、テストモードによる試験信号生成に必要なその他数種類のパラメータを設定し、ＯＫボタンＢｑを操作すれば、指定のＣＣに関するすべてのパラメータ情報を簡単に設定でき、この設定操作を、図７に示した第１の設定画面上で別のＣＣを指定しながら繰り返すことで、最大５つのＣＣについての信号生成に必要なパラメータ情報を簡単に設定できる。また、これらの指定操作は、表示部２１の画面上に表示したボタンに対するタッチ操作で行なえるため、装置本体と別体のマウスを準備する必要がなく、画面上で直感的に且つ容易にパラメータ設定が行なえる。
【００４７】
このようにして試験用の信号生成に必要なパラメータが決まり、その情報を試験用信号生成部２９へ入力すると、試験用生成部２９は入力されたパラメータの情報にしたがって、各ＣＣの試験用信号を生成する。
【００４８】
ここで、試験用信号生成部２９は、試験に用いる複数のＣＣが一つの共通の通信用割当周波数帯に配置されるイントラバンド方式が指定された場合は、それらＣＣについての信号に周波数オフセットを与えて合成する。これによって、以後は一つの通信用割当周波数帯に対応した送信系で対処できる。
【００４９】
一方、試験に用いる複数のＣＣが異なる通信用割当周波数帯に配置されるインターバンド方式が指定された場合は、異なる通信用割当周波数帯の周波数差が大きい（例えば８００ＭＨｚ帯と１２００ＭＨｚ帯では４００ＭＨｚの差となる）のでそれに等しい周波数オフセットを与えて合成することは困難であり、また、たとえ合成できても、一つの通信用割当周波数帯に対応した送信系で対処することはできない。
【００５０】
したがって、このインターバンド方式に対処できるように、試験用信号生成部２９は、異なる通信用割当周波数帯に用いる信号をそれぞれ独立に生成できるように信号生成のための処理部を複数系統（図１では２系統としている）有しており、イントラバンド方式が指定された場合には、一系統の信号処理部で周波数オフセットを与えて合成した信号（例えば信号Ａ）を出力し、インターバンド方式が指定された場合には、２系統の信号処理部を用いて各通信用割当周波数帯用のベースバンドの信号Ａ、Ｂを生成することになる。
【００５１】
この試験用信号生成部２９で生成された試験信号は、ベースバンドの所定フレーム分のＩ、Ｑ信号データ（波形データ）であり、この信号データをＲＦ信号変換装置３０に与えることで、実際に通信に用いる周波数帯に変換された試験信号が試験対象１に入力されて、それに対する試験が行なえる。なお、例えば試験対象１が基地局の場合、各テストモデルに対応した試験信号を受けた基地局自身が有しているエラー測定機能等を利用して、その測定結果が規格を満たしているか否かを把握する。
【００５２】
ここで、ＲＦ信号変換装置３０は、Ｉ、Ｑ信号データによる直交変調および周波数変換処理を行うが、前記したように、試験用信号生成部２９から複数系統で出力されるＩ、Ｑ信号データに対処できるように、直交変調処理および周波数変換処理を行なう信号処理部を複数系統（図では２系統とする）有している。
【００５３】
そして、イントラバンド方式の場合には、一系統の信号処理部で指定された通信用割当周波数帯（例えば２０００ＭＨｚ帯）内で複数のＣＣ分の試験信号（例えばＲＦａ）を生成出力し、インターバンド方式の場合には、２系統の信号処理部を用いて各通信用割当周波数帯（例えば２０００ＭＨｚ帯と３５００ＭＨｚ帯）の信号（例えばＲＦａ、ＲＦｂ）を生成出力することになる。これら生成出力された信号ＲＦａ、ＲＦｂは、広帯域な信号合成器３１で合成されて、試験対象１に例えば同軸ケーブルを介して入力される。
【００５４】
また、測定の種類によっては、生成出力された信号ＲＦａ、ＲＦｂをそれぞれの信号帯域に応じたアンテナから放射して試験対象に与える場合もある。
【００５５】
なお、ＴＤＤ方式が用いる周波数帯のうち３５００ＭＨｚ帯は、ＦＤＤ方式が用いている周波数帯から離れているので、ＴＤＤ方式とＦＤＤ方式の両方に対応するためには、少なくとも８００ＭＨｚ帯、１９００ＭＨｚ帯、３５００ＭＨｚ帯の信号処理が必要となり、それら３つの周波数帯に応じて、試験信号生成部２９とＲＦ信号変換装置３０の信号処理系統数を３つ以上設ける必要がある。ただし、試験の規格、インターバンド方式で組合せられるバンド数が２つに限定されている場合には、３つ以上の信号処理系統のうちの二つを作動させればよい。
【００５６】
また、ここでは、試験用信号を試験対象１（この例では基地局）に与えて試験を行なう場合について説明しているが、実際の試験では、この試験信号に対する試験対象１の応答を調べて、その試験対象１の動作を把握する必要がある。この動作確認には、前記したように、試験対象１が有するエラー測定機能を利用する方法や、試験対象１が送信する電波を受信解析する方法や、試験対象１の内部信号を解析する方法等がある。
【００５７】
上記説明では、試験用信号装置２０で生成したベースバンドの信号データを、ＲＦ信号変換装置３０に与えるシステムについて説明したが、このシステムの実際の装置形態や信号データの与え方は任意である。
【００５８】
即ち、試験用信号生成装置２０の機能とＲＦ信号変換装置３０の機能とを一つの筐体内に収容して一体化した構成、あるいはそれぞれが別体の構成にしてもよい。また、試験用信号生成装置２０で生成したベースバンドの信号データを、通信インターフェースを介してＲＦ信号変換装置３０に与える方式、試験用信号生成装置２０で生成したベースバンドの信号データを各種記憶媒体（ハードディスク、ＳＤメモリカードやＵＳＢメモリ等の不揮発性半導体メモリ、ＣＤ、ＤＶＤ等のディスク）に記憶しておき、ＲＦ信号変換装置３０がそれらの記憶媒体から信号データを読み出して前記した直交変調処理と周波数変換処理を行なう方式も実現できる。
【００５９】
また、試験用信号生成装置２０の各手段が表示部２１に行なう表示や操作部２２による指定操作方式についても上記例に限定されるものではなく、表示形態、指定操作形態は任意である。
【００６０】
また、前記実施形態では、試験対象１がＬＴＥ−Ａｄｖａｎｃｅｄ方式に対応した基地局で、それを試験する為に規定されたテストモデルと帯域幅によって決まるパラメータファイルを選択して、指定されたＣＣに割り当てる例について説明したが、本発明の試験対象１は基地局だけでなく、ＬＴＥ−Ａｄｖａｎｃｅｄ方式に対応した携帯端末本体、あるいは基地局や携帯端末に用いられるＲＦデバイスであってもよく、その場合には、その試験対象に対して規定されたパラメータファイルを記憶しておいて、指定のＣＣに割当てればよい。
【符号の説明】
【００６１】
１……試験対象、２０……試験用信号生成装置、２１……表示部、２２……操作部、２３……パラメータ設定部、２４……パラメータファイル記憶手段、２５……バンドコンポーネント指定手段、２６……パラメータファイル指定手段、２９……試験用信号生成部、３０……ＲＦ信号変換装置、３１……信号合成器
【図１】
2014165655.tif 000003
【図２】
2014165655.tif 000004
【図３】
2014165655.tif 000005
【図４】
2014165655.tif 000006
【図５】
2014165655.tif 000007
【図６】
2014165655.tif 000008
【図７】
2014165655.tif 000009
【図８】
2014165655.tif 000010
【図９】
2014165655.tif 000011